(57)【要約】      （修正有）【課題】温冷覚の測定をスイッチの切替無しで一つの装置で容易に行うことができる。【解決手段】ペルチェ素子１０２と、その低温側に密着固定されている冷温感知用伝熱板とその高温側に密着固定されている高温感知用伝熱板と放熱装置１０８で構成し、冷感感知用伝熱板に温度測定手段を設け、冷感感知用伝熱板としてプレート型細孔ヒートパイプを用い、温感感知用伝熱板に温度測定手段を設け、放熱装置としてファンを用い、温感知用伝熱板としてプレート型細孔ヒートパイプで構成する。【選択図】図１
2004298417.tif 000002
【特許請求の範囲】
【請求項１】
ペルチェ素子と、該ペルチェ素子の低温側に密着固定されている冷覚検査用伝熱板と前記ペルチェ素子の高温側に密着固定されている温覚検査用伝熱板と該温覚検査用伝熱板に取り付けられている放熱装置からなる温冷覚の有無を調べるために用いられる温冷覚検査器において、前記冷覚検査用伝熱板に温度測定手段を設けたことを特徴とする温冷覚測定器。
【請求項２】
前記冷覚検査用伝熱板としてプレート型細孔ヒートパイプを用いたことを特徴とする請求項１に記載の温冷覚測定器。
【請求項３】
前記ペルチェ素子及び冷覚検査用伝熱板を２組取り付けたことを特徴とする請求項１又は２に記載の温冷覚測定器。
【請求項４】
前記温覚検査用伝熱板に温度測定手段を設けたことを特徴とする請求項１、２又は３に記載の温冷覚測定器。
【請求項５】
前記放熱装置としてファンを用いたことを特徴とする請求項１、２，３又は４に記載の温冷覚測定器。
【請求項６】
前記温覚検査用伝熱板としてプレート型細孔ヒートパイプを用いたことを特徴とする請求項１、２，３，４又は５に記載の温冷覚測定器。
【請求項７】
前記温覚検査用伝熱板の温覚検査部を２箇所設けたことを特徴とする請求項１、２，３，４、５又は６に記載の温冷覚測定器。
【請求項８】
前記冷覚検査部及び前記温覚検査部の角度がわかるようにしたことを特徴とする請求項１、２，３，４、５、６又は７に記載の温冷覚測定器。
【発明の詳細な説明】
【０００１】
【産業上の利用分野】
本発明は、局所麻酔等における温冷覚の有無を調べるために用いられる温冷覚測定器に関するものである。
【０００２】
【従来の技術】
従来から医療の現場では、神経疾患の患者に対して感覚障害を測定することは、神経疾患の症状を見る上で大変重要な事項であった。感覚障害の検査には、痛覚、温度覚、触覚などがある。このなかで、温度感覚の検査は、試験管またはフラスコに温湯と冷水を入れたものを用いて温覚を検査する時は、温湯の入った試験管またはフラスコを患部に当て、また冷覚を測定するときは冷水の入った試験管またはフラスコを患部に当て、検査されてきた。
【０００３】
【発明が解決しようとする課題】
しかしながら、一般に温湯は４０〜４５℃ぐらい、冷水は１０℃ぐらいがよいとされているが、前記試験管またはフラスコに温湯と冷水を入れたものを用いて検査している温度覚検査方法では、すぐに温度が変化していしまうため、大きな試験管またはフラスコを用いなければならなかった。さらに、検査時には水温が変化している場合もあり、定量的な検査ができないという問題があった。また、特開平８−２４３１０６のような装置もあるが、ペルチェ素子の人体接触面を冷覚検査用に温度を下げて使用した場合、人体から伝わる熱により冷覚検査面の温度が上がっても温度測定手段が無いため適正な温度で検査箇所を検査できていないこともあった。そのためある検査箇所を測定した後、ある程度時間を置いて冷覚検査面が所定の温度になってから次の検査箇所を検査しなければならず、続けて複数の検査箇所を検査したり、ある程度の時間検査するために適した温度覚測定装置がなかった。
【０００４】
【特許文献１】
特開平８−２４３１０６号公報
【０００５】
本発明の目的は、上述した課題に鑑みてなされたものであり、温度覚の検査時の機器の検査面の温度を正確に知ることができ、検査がいつでも定量的に行うことができる温度覚測定器具を提供するものである。
【０００６】
【課題を解決するための手段】
本発明のペルチェ素子を用いた温冷覚検査器は、ペルチェ素子と、該ペルチェ素子の低温側に密着固定されている冷覚検査用伝熱板と前記ペルチェ素子の高温側に密着固定されている温覚検査用伝熱板と該温覚検査用伝熱板に取り付けられている放熱装置からなる温冷覚の有無を調べるために用いられる温冷覚測定器において、前記冷覚検査用伝熱板に温度測定手段を設けたことを特徴とする。このような構成にすることにより、、ペルチェ素子の電流値を調整することにより冷覚検査用伝熱板の温度を所定の温度に保つことができ、正確な温度数値による測定をすることができるようになる。
【０００７】
前記冷覚検査用伝熱板としてプレート型細孔ヒートパイプを用いたことを特徴とする。このような構成にすることにより前記冷覚検査用伝熱板全体を迅速に均一な温度にすることができ、前記冷覚検査用伝熱板上に温度分布ができてしまうことを防ぐことができる。
【０００８】
前記ペルチェ素子及び冷覚検査用伝熱板を２組取り付けたことを特徴とする。このような構成にすることにより例えば指先の冷覚を親指と人差指等、同時に二本計れ、冷覚を比較することにより、診断に役立つ情報を得ることができる。
【０００９】
前記温覚検査用伝熱板に温度測定手段を設けたことを特徴とする。このような構成にすることにより、正確な温度数値で温覚を測定することができるようになる。
【００１０】
前記放熱装置としてファンを用いたことを特徴とする。このような構成にすることによりファンの電流を制御してファンの回転数を制御し、従って風量を制御することにより前記冷覚検査用伝熱板の温度を一定に保ったまま前記温覚検査用伝熱板の温度を予め決められた所定の温度に保つことができるようになる。
【００１１】
前記温覚検査用伝熱板としてプレート型細孔ヒートパイプを用いたことを特徴とする。このような構成にすることにより前記温覚検査用伝熱板全体を迅速に均一な温度にすることができ、前記温覚検査用伝熱板上に温度分布ができてしまうことを防ぐことができる。
【００１２】
前記温覚検査用伝熱板の温覚検査部を２箇所設けたことを特徴とする。このような構成にすることにより例えば指先の温覚を親指と人差指等、同時に二本計れ、温覚を比較することにより、診断に役立つ情報を得ることができる。
【００１３】
前記冷覚検査部及び前記温覚検査部の角度がわかるようにしたことを特徴とする。このような構成にすることにより、患者に余計な負担をかけることなく測定したい部分に対して素早く冷感と温感を切り替えることができる。
【実施の形態】
【００１４】
図１は本発明の温冷覚測定器の一例を示す図である。図１において、温冷覚測定器１００は、温冷覚測定部１０１と取っ手部１１０により構成されている。温冷覚測定部１０１はペルチェ素子１０２の冷却側に冷感感知用伝熱板１０３が取り付けられている。該冷感感知用伝熱板１０３はペルチェ素子により所定の温度に冷却され腕や足等の患者の測定部に接触して冷感を測定する。ペルチェ素子の反対面は温度が高温になるので、コの字形状の温感感知用伝熱板１０４が取り付けられている。コの字形状の１０５部分がペルチェ素子に接触し、１０６及び１０７部にペルチェ素子の熱が伝えられ温度が上がるようになっている。さらに、１０６及び１０７の２箇所で温感を測定できることにより、例えば親指１０６に人差し指を１０７に接触させることにより、温感を同時に計ることができるようになり、温感の比較ができることにより、診断をするために有用な情報を得ることができる。該温感感知用伝熱板１０４は熱伝導率の高い素材で構成しても細孔トンネルプレート型ヒートパイプで構成してもよい。１０８は放熱フィンである。前記温感感知用伝熱板１０４の温度が上がり過ぎないように、所定の温度に保たれるように放熱フィン１０８を取り付ける。また１０９はファンである。このようにファンを配置することによりフィンだけでは取り除くことができない熱を放熱し、所定の温度に保つことができる。また、前記冷感感知用伝熱板１０３に熱電対等の温度検出器を配置し、該熱電対により測定された温度信号からペルチェ素子に流す電流を調整することにより、より正確に予め決められた所定の温度に前記冷感感知用伝熱板１０３を保つこともできる。また前記温感感知用伝熱板１０４に別の熱電対等の温度検出器を配置することにより、ファンの回転を調整し、より正確に予め決められた所定の温度に前記温感感知用伝熱板１０４を保つこともできる。
次に取っ手部１０２の構成について説明する。取っ手１１０は断面形状が多角形で形成されており、その面は前記冷感感知用伝熱板１０３及び前記温感感知用伝熱板１０４の温冷覚測定面と平行になっている。このような構成にすることにより指先だけの感覚で素早く前記冷感感知用伝熱板１０３及び前記温感感知用伝熱板１０４の温冷覚測定面を測定部に向けることができ、測定を素早く行うことができる。また取っ手１１０内は空洞になっていて該空洞内を温度測定手段からのケーブルやぺルチェ素子やファンへの電源ケーブルを通すことができる。
【００１５】
【発明の効果】
本発明のペルチェ素子を用いた温冷覚検査器は、請求項１の発明によればペルチェ素子と、該ペルチェ素子の低温側に密着固定されている冷温覚検査用伝熱板と前記ペルチェ素子の高温側に密着固定されている温検査用伝熱板と該温覚検査用伝熱板に取り付けられている放熱装置からなる温冷覚の有無を調べるために用いられる温冷覚測定器において、前記冷覚検査用伝熱板に温度測定手段を設けた構成にすることにより、ペルチェ素子の電流値を調整することにより冷覚検査用伝熱板の温度を所定の温度に保つことができ、正確な温度数値による測定をすることができるようになる。
請求項３の発明によれば、前記冷感感知用伝熱板としてプレート型細孔ヒートパイプを用いた構成にすることにより、前記冷感感知用伝熱板全体を迅速に均一な温度にすることができ、前記冷感感知用伝熱板上に温度分布ができてしまうことを防ぐことができる。
請求項４の発明によれば、前記ペルチェ素子及び冷感感知用伝熱板を２組取り付けた構成にすることにより例えば指先の冷感を親指と人差指等、同時に二本計れ、冷感を比較することにより、診断に役立つ情報を得ることができる。
請求項５の発明によれば、前記温感感知用伝熱板に温度測定手段を設けた構成にすることにより、正確な温度数値で温感を測定することができるようになる。
請求項６の発明によれば、前記放熱装置としてファンを用いた構成にすることにより、ファンの電流を制御してファンの回転数を制御し、従って風量を制御することにより前記冷感感知用伝熱板の温度を一定に保ったまま前記温感感知用伝熱板の温度を予め決まられた所定の温度に保つことができるようになる。
請求項７の発明によれば、前記温感知用伝熱板としてプレート型細孔ヒートパイプを用いた構成にすることにより、前記温感感知用伝熱板全体を迅速に均一な温度にすることができ、前記温感感知用伝熱板上に温度分布ができてしまうことを防ぐことができる。
請求項８の発明によれば、前記温感知用伝熱板の温感感知部を２箇所設けた構成にすることにより、例えば指先の温感を親指と人差指等、同時に二本計れ、温感を比較することにより、診断に役立つ情報を得ることができる。
請求項９の発明によれば、前記冷感感知部及び前記温感感知部の角度がわかるようにした構成にすることにより、患者に余計な負担をかけることなく測定したい部分に対して素早く冷感と温感を切り替えることができる。
【図面の簡単な説明】
【図１】本件発明の実施例の縦断面図である。
【図２】本件発明の実施例の正面図である。
【符号の説明】
１００  温冷覚測定器
１１０  取っ手部
１０２  ペルチェ素子
１０３  冷感感知用伝熱板
１０４  温感感知用伝熱板
１０８  放熱フィン
【図１】
2004298417.tif 000003
【図２】
2004298417.tif 000004